(57)【要約】      （修正有）【課題】電子タバコを充電器本体の中に緊密に固定でき、電子タバコの落下を防止し、充電中に電子タバコが移動する時、充電操作を中止することができ、充電の安定性を強化する電子タバコ用急速充電器を提供する。【解決手段】充電器本体１と充電ベース２を含み、充電器本体１と充電ベース２との間にはネジによって連結され、充電器本体１の正面にスロット３が設けられ、スロット３の上壁の下面に押し構造４が設けられ、充電ピッチ６と充電器インターフェースとの結合により、外部電源と連続され、電気エネルギーを提供し、電子タバコをスロット３に挟むことで、電子タバコの頂部は押し構造４と接触し、押し構造４を利用して電子タバコを押し付け、且つ充電器本体１の中に固定し、電子タバコの底部は充電接点８と接触し、電子タバコを充電する。【選択図】  図１
0003211733.tif 000002
【実用新案登録請求の範囲】
【請求項１】
ＩＱＯＳの電子タバコ用急速充電器は、充電本体（１）と充電ベース（２）を含み、それは前記充電本体（１）と充電ベース（２）との間がネジで連結され、充電器本体（１）の正面にスロット（３）が設けられ、前記スロット（３）の上壁の下面に押し構造（４）が設けられ、前記充電本体（１）の下面にピッチ（５）が設けられ、前記充電ベース（２）の外壁に充電ピッチ（６）が設けられ、前記充電ベース（２）の内部に回路基板（７）が設けられ、前記回路基板（７）の中に電源管理ユニットが設けられ、前記回路基板（７）の上面にピッチ（５）の位置と対応する充電接点（８）が設けられ、前記充電接点（８）はスプリング型の充電接点で、前記回路基板（７）にまた充電ピッチ（６）の位置と対応する充電器インターフェース（９）が設けられ、前記回路基板（７）は導電体によってそれぞれ充電接点（８）と充電器インターフェース（９）と電気接続されることを特徴とする。
【請求項２】
該電子タバコ用急速充電器は、前記充電器本体（１）がＩＱＯＳの電子タバコに合うカラム状をすることを特徴とする請求項１に記載の電子タバコ用急速充電器。
【考案の詳細な説明】
【技術分野】
【０００１】
本実用新案は電子タバコアクセサリー技術分野に関し、具体的には電子タバコ用急速充電器である。
【背景技術】
【０００２】
電子タバコは禁煙用又はタバコの代わりになっている。今まで市場に販売される電子タバコにはホルダー及びアトマイザーが含まれ、人が吸入する際には、ホルダーにおける電池が前記アトマイザーを充電し、ハーネスを加熱してリキッドが霧状になって煙を出す。電子タバコは瞬間に消費する電流が極めて大きい電子製品であり、電子タバコが用いる電池の容量は制限されているため、ユーザは使用し続けるために前記電池を充電する必要がある。
【考案の概要】
【考案が解決しようとする課題】
【０００３】
現在、市場に販売されるＩＱＯＳの電子タバコには、充電デバイスが備えられているけれど、対応する充電デバイスの体積は比較的大きくて携帯しにくく、ユーザの使い勝手に影響する  。
【０００４】
本実用新案の目的はＩＱＯＳの電子タバコ用急速充電器の提供によって、上記背景技術に述べられた問題を解決することである。
【課題を解決するための手段】
【０００５】
上記目的を実現するために、本実用新案が下記技術的様態を提供した。ＩＱＯＳの電子タバコ用急速充電器は、充電器本体と充電ベースを含み、前記充電器本体と充電ベースとの間はネジで連結され、充電器本体の正面にスロットが設けられ、前記スロットの上壁の下面に押し構造が設けられ、前記充電器本体の下面にピッチが設けられ、前記充電ベースの外壁に充電ピッチが設けられ、前記充電ベースの内部に回路基板が設けられ、前記回路基板の中に電源管理ユニットが設けられ、前記回路基板の上面にピッチの位置と対応する充電接点が設けられ、前記充電接点はスプリング型の充電接点で、前記回路基板にまた充電ピッチの位置と対応する充電器インターフェースが設けられ、前記回路基板は導電体を経由してそれぞれ充電接点と充電器インターフェースと電気接続される。
【０００６】
好ましくは、前記充電器本体はＩＱＯＳの電子タバコ形状に合うカラム状とする。
【考案の効果】
【０００７】
従来技術と比べ、本実用新案の有益効果は下記のとおりである。ＩＱＯＳの電子タバコ用急速  充電器は、充電スロットと充電器インターフェースとの結合により、外部電源と接続され、電気  エネルギーを提供し、ＩＱＯＳの電子タバコをスロットに挟むことで、ＩＱＯＳの電子タバコの  頂部が押し構造と接触し、押し構造によってＩＱＯＳの電子タバコを押し付け、且つ充電器本体  の中に固定し、それでＩＱＯＳの電子タバコの底部は充電接点と接触し、ＩＱＯＳの電子タバコ  を充電し、充電接点はスプリング型の充電接点で、ＩＱＯＳの電子タバコがスロットに挟まれる  時には充電接点が収縮し、挟まれた後は、充電接点が跳ね返ってＩＱＯＳの電子タバコの底部と  接触し、回路基板に設けられる電源管理ユニットによって出力された電圧と電流の安定性を調節  でき、充電中の安全性を保証し、本実用新案はＩＱＯＳの電子タバコのような形状をした充電器  本体を使用し、外観が新規で小さく、携帯しやすいである。以上、ＩＱＯＳの電子タバコを充電  器本体の中に緊密に固定することにより、ＩＱＯＳの電子タバコの落下を防止し、又は充電中に  電子タバコが移動する時、充電操作を中止することができ、充電の安定性を強化し、ユーザの使  い勝手を向上させた。
【図面の簡単な説明】
【０００８】
【図１】本実用新案の構造図
【図２】本実用新案の横断面構造図
【図３】本実用新案の分解図
【考案を実施するための形態】
【０００９】
本実用新案は下記の実施例における図を利用して説明され、本実用新案の実施例における技術的形態がはっきりと詳細に述べられるが、明確には、それらの実施例はただ本実用新案の一部分の実施例で、全部の実施例ではない。本実用新案における実施例に基づき、本分野の普通の技術者が特別な創造的創作をしない範囲で得られる全ての他の実施例は、本実用新案に保護される範囲に属する。
【００１０】
図１−３に示すように、本実用新案は下記技術的形態を提供する。ＩＱＯＳの電子タバコ用急速充電器は、充電器本体１と充電ベース２を含み、前記充電器本体と充電ベースとの間にはネジで連結され、取り外しやすく、且つ充電器本体の正面にスロット３が設けられ、前記スロットの上壁の下面に押し構造４が設けられ、ＩＱＯＳの電子タバコの充電設計に基づき、充電する際にはＩＱＯＳの電子タバコのホルダーを押し付け、充電接点と十分に接触させる必要があり、ＩＱＯＳの電子タバコはスロットから充電器本体に挟まれ、押し構造によってＩＱＯＳのタバコの底部における充電インターフェースは充電接点と対応し、前記充電器本体の下面にピッチ５が設けられ、前記充電ベースの外壁に充電ピッチ６が設けられ、充電器本体の下面における滞在防止用位置決め孔は、ＩＱＯＳの電子タバコを位置付けて締め付けることができ、ＩＱＯＳの電子タバコが充電ベースの中に移動し回転することが、充電に影響することを防止し、前記充電ベースの内部に回路基板７が設けられ、前記回路基板の中に電源管理ユニットが設けられ、電源管理ユニットは電流と電圧を効果的に調節でき、電流と電圧を安定し、充電中の安全性を向上させ、前記回路基板の上面にピッチの位置と対応する充電接点８が設けられ、前記充電接点はスプリング型の充電接点であり、前記回路基板にまた充電ピッチの位置と対応する充電器インターフェース９が設けられ、前記回路基板は導電体によって充電接点と充電器インターフェースと電気接続される。
【００１１】
具体的に言うと、前記充電器本体はＩＱＯＳの電子タバコの形状に合うカラム状をし、モデルが新規で小さく、携帯しやすい。
【００１２】
動作の原理について。  本実用新案は充電ピッチと充電器インターフェースとの結合により、外部電源と接続され、電気エネルギーを提供し、ＩＱＯＳの電子タバコをスロットに挟むことで、ＩＱＯＳの電子タバコの頂部は押し構造と接触し、押し構造でＩＱＯＳの電子タバコを押し付け、且つ充電器本体の中に固定し、それでＩＱＯＳの電子タバコの底部は充電接点と接触し、ＩＱＯＳの電子タバコを充電し、充電接点はスプリング型の充電接点で、ＩＱＯＳの電子タバコがスロットに挟まれる時には収縮し、挟まれた後、充電接点は跳ね返ってＩＱＯＳの電子タバコの底部と接触し、回路基板に設けられる電源管理ユニットによって出力された電圧と電流の安定性を調節でき、充電中の安定性を保証する。
【００１３】
本実用新案の実施例は既に述べたが、本分野の普通な技術者にとって、本実用新案の原理と精神から離れない前提で、これらの実施例に対して複数の変化、修正、切替と変形ができ、本実用新案の範囲は付属される請求項及びその同等なものに限定されるように理解してもよい。
【符号の説明】
【００１４】
１充電器本体
２充電ベース
３スロット
４押し構造
５ピッチ
６充電ピッチ
７回路基板
８充電接点
９充電器インターフェース
【図１】
0003211733.tif 000003
【図２】
0003211733.tif 000004
【図３】
0003211733.tif 000005
【手続補正書】
【提出日】平成29年6月6日(2017.6.6)
【手続補正１】
【補正対象書類名】実用新案登録請求の範囲
【補正対象項目名】全文
【補正方法】変更
【補正の内容】
【実用新案登録請求の範囲】
【請求項１】
充電器本体（１）と充電ベース（２）を含み、前記充電器本体（１）と前記充電ベース（２）との間がネジで連結され、前記充電器本体（１）の正面にスロット（３）が設けられ、前記スロット（３）の上壁の下面に押し構造（４）が設けられ、前記充電器本体（１）の下面にピッチ（５）が設けられ、前記充電ベース（２）の外壁に充電ピッチ（６）が設けられ、前記充電ベース（２）の内部に回路基板（７）が設けられ、前記回路基板（７）の中に電源管理ユニットが設けられ、前記回路基板（７）の上面にピッチ（５）の位置と対応する充電接点（８）が設けられ、前記充電接点（８）はスプリング型の充電接点で、前記回路基板（７）にまた充電ピッチ（６）の位置と対応する充電器インターフェース（９）が設けられ、前記回路基板（７）は導電体によってそれぞれ充電接点（８）と充電器インターフェース（９）と電気接続されることを特徴とする電子タバコ用急速充電器。
【請求項２】
該電子タバコ用急速充電器は、前記充電器本体（１）が電子タバコに合うカラム状をすることを特徴とする請求項１に記載の電子タバコ用急速充電器。